(57)【要約】【課題】安全で、封水と混合しやすく寒冷地でも使用可能な蒸気圧低下剤を提供する。【解決手段】尿素と、界面活性剤と、精製グリセロールと、水又はアルカリ還元水と、を有し、精製グリセロールは、エタノールと油脂と水と炭化物を有する廃グリセロールを蒸留精製したものである。【選択図】図１
2013068067.tif 000002
【特許請求の範囲】
【請求項１】
尿素と、界面活性剤と、精製グリセロールと、水又はアルカリ還元水と、を有し、
上記精製グリセロールは、エタノールと油脂と水と炭化物を有する廃グリセロールを蒸留精製したものであることを特徴とする水の蒸気圧低下剤。
【請求項２】
凝固点を、−４０℃〜−２５℃とした請求項１記載の水の蒸気圧低下剤。
【発明の詳細な説明】
【技術分野】
【０００１】
本発明は、水の蒸気圧低下剤に関する。
【背景技術】
【０００２】
従来、洗面台、流し台等の排水管は、下水側から悪臭が室内に入ったり、害虫等の生物が室内に入るのを防止するために、水を溜めるための排水トラップが設けられている。しかし、家を不在にしたり、マンションの借り手がいない等の理由により、長期間洗面台、流し台等を使用しない場合、封水が蒸発して（渇水して）下水側から悪臭が室内に入ったり、害虫等の生物が室内に入る虞がある。そこで、封水の蒸発を防ぐために、封水に油を投入して水面を被覆していた（例えば、非特許文献１参照）。
【０００３】
しかし、上記油は水より比重が軽く、投入した際に、封水の中を排水口側から下水側へ移動しづらいという欠点があった。さらに、寒冷地では排水トラップ内の水が凍ってしまう問題もあり、従来、エチレングリコールが寒冷地用として使用される場合もあった。
【先行技術文献】
【特許文献】
【０００４】
【非特許文献１】「トラップキーパー・ＥＣ−１０１」ホームページアドレスhttp://www.lifestyle-service.net/torapkeep/torapkeep.htm
【発明の概要】
【発明が解決しようとする課題】
【０００５】
上記油を投入した際に、封水の中を排水口側から下水側へ移動しづらい。また、上記エチレングリコールは致死量が設定されている毒劇物であって、自然界に流出すると危険性が高い。また、セントラルヒーティング用冷媒（水）として、寒冷地では水が凍結するという問題があった。
そこで、本発明は、安全で、封水と混合しやすく寒冷地でも使用可能な水の蒸気圧低下剤の提供を目的とする。
【課題を解決するための手段】
【０００６】
そこで、本発明に係る水の蒸気圧低下剤は、尿素と、界面活性剤と、精製グリセロールと、水又はアルカリ還元水と、を有し、精製グリセロールは、エタノールと油脂と水と炭化物を有する廃グリセロールを蒸留精製したものである。
また、凝固点を、−４０℃〜−２５℃としたものである。
【発明の効果】
【０００７】
本発明によれば、排水トラップへ投入した際に、封水の全体と簡単に混合する。さらに、蒸発しにくく、長期間にわたって封水作用を確実になす。特に、寒冷地に於ては、蒸気圧が十分に低下して、凍結することがなく、安全性も高い。また、セントラルヒーティング用の冷媒（水）として、蒸気圧が低下することによって凍結を防止できる。
【図面の簡単な説明】
【０００８】
【図１】本発明に係る蒸気圧低下剤の使用状態の簡略説明図である。
【図２】本発明に係る蒸気圧低下剤の使用状態の簡略説明図である。
【図３】水１００％の蒸発性の実験結果を示すグラフ図である。
【図４】本発明実施例（品）の蒸気圧低下剤５０ｃｃと水５０ｃｃとを混合したものの蒸発性の実験結果を示すグラフ図である。
【図５】本発明実施例（品）の蒸気圧低下剤３０ｃｃと水５０ｃｃとを混合したものの蒸発性の実験結果を示すグラフ図である。
【図６】本発明に係る蒸気圧低下剤の別の使用状態の簡略説明図である。
【図７】本発明実施例（品）の蒸気圧低下剤３０ｃｃと水１７０ｃｃとを混合したものの蒸発性の実験結果を示すグラフ図である。
【図８】本発明実施例（品）の蒸気圧低下剤３０ｃｃと水３２０ｃｃとを混合したものの蒸発性の実験結果を示すグラフ図である。
【図９】本発明実施例（品）の蒸気圧低下剤２５ｃｃと水７５ｃｃとを混合したものの凝固性の実験結果を示すグラフ図である。
【図１０】本発明実施例（品）の蒸気圧低下剤５０ｃｃと水５０ｃｃとを混合したものの凝固性の実験結果を示すグラフ図である。
【発明を実施するための形態】
【０００９】
図１と図２に於て、Ｓ字型の排水トラップＴを有する排水管２の上方開口部３から、本発明に係る水の蒸気圧低下剤５を投入すると、Ｓ字型排水トラップＴ内の封水Ｗと混合する。
図１に示すように、この排水トラップＴの開口側から投入すれば、自然に封水Ｗ全体と混合されて図２に示すように混合封水液10となる。
本発明に係る水の蒸気圧低下剤５は、尿素と、界面活性剤と、精製グリセロールと、水又はアルカリ還元水と、を含み、具体的には、尿素を５〜２０重量％、界面活性剤を０．１〜５重量％、精製グリセロールを１０〜８０重量％、残りを主として水又はアルカリ還元水とした成分から成る。
【００１０】
精製グリセロールは、エタノールと油脂と炭化物を有する廃グリセロールを蒸留精製（生成）したものが望ましい。
廃グリセロールは、例えば、食用廃油をエステル化してバイオディーゼルフューエルを精製する際の副産物（黒色の不要物）であり、現在、特別産業廃棄物として処理に困っているものである。つまり、不要な廃棄物を再利用（リサイクル）でき、廃棄物の削減、及び、有効利用に貢献できる。
【００１１】
そして、精製グリセロールを１０〜８０重量％とするが、好ましくは、５０〜７５重量％とする。下限値未満であると、（蒸気圧が十分低下せず）図２に示す混合封水液10から水分の蒸発が速く、かつ、凍結しやすくなって、寒冷地での実用に耐えられなくなる。上限値を越せば、引火（燃焼）の危険性が生ずる。また、上限値を越すと粘度が大きくなってしまって、排水トラップＴの下部へ沈澱して溜まる場合もある。また、精製グリセロールによって、凝固点を低く、沸点を高くしている。
【００１２】
尿素は５〜２０重量％とするが、好ましくは、１０〜１５重量％とする。下限値未満では、（蒸気圧が十分低下せず）混合封水液10からの水分の蒸発が速く、かつ、凍結しやすくなり、寒冷地での実用に耐えられなくなる。上限値を越せば、精製グリセロールと尿素とが反応して凝固物が生ずる。つまり、廃グリセロールには油脂分が含まれており蒸留精製をしても完全除去が困難なため、精製グリセロールに含まれる微量の油脂分と尿素とが反応して凝固し、白濁色となる。
また、尿素及び精製グリセロールにより凝固点を低く（凍りにくく）でき、凍結防止剤としての効果を得ている。
【００１３】
界面活性剤は０．１〜５重量％とするが、好ましくは、０．１重量％以上５重量％未満であり、より好ましくは、２〜４重量％である。界面活性剤によって、表面張力を低下させている。（水に比べて）表面張力を低くさせることで、排水管内周壁に付着している汚れやゴミによる毛細管現象が発生しにくくなり、混合封水液10の吸い上げが抑制され、蒸発量を抑制できる。数値範囲を越えると、蒸気圧低下剤５を投入する際に発泡して混合が不十分となる虞があり、下限値未満であると、毛細管現象を抑制する効果が得られにくい虞がある。
界面活性剤は、例えば、アルカリ性洗剤（「スマートウォッシュ」株式会社スマート製）とするのが好ましい。
【００１４】
また、水又はアルカリ還元水の割合（重量％）が大きくなると蒸気圧が上昇し、凝固点（氷点）も上昇する。本来、精製グリセロールの凝固点は約−１２０℃であるが、これに水又は電解アルカリイオン水が加わるため、凝固点が上昇することとなり、凝固点を、−４０℃〜−２５℃とする。好ましくは−４０℃〜−３５℃、より好ましくは−４０℃〜−３８℃とする。
【００１５】
また、残りを主として水（純水又は水道水）とした場合は、アルカリ還元水に比べて、製造や設備等のコストが低く、蒸気圧低下剤５を安価に製造できるといった利点がある。
アルカリ還元水とした場合は、水の場合に比べて、排水管２の劣化（酸化）を抑制できる。
なお、「残りを主として水（又はアルカリ還元水）とした」の「主」とは、精製グリセロールと、尿素と、界面活性剤と、を除いた残り液体を１００重量％とすると、その９５〜１００重量％が、水（又はアルカリ還元水）であることを意味する。例えば、上記残りの液体が、全て水（又はアルカリ還元水）の場合や、水（又はアルカリ還元水）以外に色素、香料、除菌剤等が夫々０．１〜５重量％含まれている場合、を意味する。
なお、アルカリ還元水は、電解アルカリイオン水や電解アルカリ還元水とも呼ばれるものである。
【００１６】
また、蒸気圧低下剤５のｐＨ値を９.０〜１０.０としている。より好ましくは９.５〜１０.０とする。アルカリ性とすることで、雑菌の繁殖を抑える効果が発揮される。なお、浄化槽の微生物への環境を考慮し、ｐＨ値をｐＨ調整剤等で調整するも良い。
また、比重は１．００〜１．１０としている、好ましくは、１．０１〜１．０９であり、より好ましくは、１．０７〜１．０９としている。つまり、水に比べて、比重を僅かに重く（大きく）することで、封水Ｗの上部に上澄み液のように大きく偏るのを防止し、下水側寄りの封水Ｗともよく混ざるようにしている。
また、大気圧での沸点を１２０℃〜１３０℃とする。より好ましくは、１２５℃〜１３０℃とする。また、引火点及び発火点は無く安全性が高い。
【実施例】
【００１７】
次の表１の蒸気圧低下剤を作成した。
【表１】
2013068067.tif 000003
【００１８】
上記表１の実施例（実施品）のもの（以下、本剤と呼ぶ場合もある）を５０ｃｃと（予め排水トラップＴにある封水Ｗの代わりとして）水５０ｃｃとを混合して１００ｃｃの混合封水液10（本剤の濃度を５０％とした混合封水液10の場合）について実験した結果を図４のグラフ図に示す。横軸は日を、縦軸は容量を示す。図３はこれと比較のために、水１００％のものを１００ｃｃの封水Ｗとした場合（本剤の濃度を０％とした場合）を示す。いずれも室温２７℃である。
図３に示すように、単なる水のみでは、１２.５〜１３日で蒸発して無くなる。これに対し、図４に示した実施例（実験例）では、５４０日掛っても５８ｃｃが残り、１０ヶ月に１度、約４０〜５０ｃｃ程度の水を補充すれば良いことが分かる。
【００１９】
また、図５は、図１及び図２に示したようなＳ字型排水トラップＴに、本剤３０ｃｃと水５０ｃｃとを混合して８０ｃｃの混合封水液10とした場合（本剤の濃度を３８％とした場合）のものを充填した実験結果である。横軸は日を、縦軸は容量を示す。図５に示したように、５４０日掛かっても４０ｃｃが残り、排水トラップＴに、１０ヶ月に１度、約４０〜５０ｃｃ程度の水を補充すれば良いことが分かる。
【００２０】
また、図６に示すように、流し台や排水口に設けられる釣鐘型の排水トラップＴ´に、使用した実験結果を、図７と図８に示す。
図７は、最大充填量が２００ｃｃの釣鐘型排水トラップＴ´に対して、本剤３０ｃｃと水１７０ｃｃとを混合して２００ｃｃの混合封水液10とし（本剤の濃度を１５％とし）、それを充填した実験結果である。
図８は、最大充填量が３５０ｃｃの釣鐘型排水トラップＴ´に対して、本剤３０ｃｃと水３２０ｃｃとを混合して３５０ｃｃの混合封水液10とし（本剤の濃度を８．５％とし）、それを充填した実験結果である。
【００２１】
図７で明らかなように、３００日〜３３０日（約１０ヶ月）で約７５ｃｃが残り、１０ヶ月に１度、約１２５ｃｃ程度の水を補充すれば良いことが分かる。
また、図８で明らかなように、３００日〜３３０日（約１０ヶ月）で約１５０ｃｃが残り、１０ヶ月に１度、約２００ｃｃ程度の水を補充すれば良いことが分かる。
【００２２】
このように、蒸発を抑制する作用についても、本発明が優れた作用効果を示す。なお、季節や排水トラップＴ，Ｔ´の形状や大きさによって、多少、蒸発性に差を生ずる。
また、実際に使用する際（蒸気圧低下方法）としては、排水トラップＴ，Ｔ´の（封水）最大充填量の混合封水液10を１００％とすると、蒸気圧低下剤５の濃度が５〜９０％になるように、好ましくは８％〜７０％となるように、図１に示すように（予め溜まっている）封水Ｗに投入するのが望ましい。下限値未満であると、蒸発する量が多く、投入後１０ヶ月になる前に、排水トラップＴ，Ｔ´が防臭や防虫効果を発揮する（封水）最小充填量未満となる虞がある。また、上限値を越えると、蒸発低下効果は十分に得られるが、濃度を上記数値範囲内の最大値とした場合と大きな差が得られないため、蒸気圧低下剤５が無駄になってしまうからである。
【００２３】
次に、本剤の凍結性（凍りやすさ）について実験した結果を図９及び図１０に示す。
図９は、本剤２５ｃｃと水７５ｃｃを混合した（４倍希釈、濃度２５％、液温２５℃）の混合封水液10を、−２２℃の室内（冷凍室）に放置した場合について実験した結果である。
図10は、本剤５０ｃｃと水５０ｃｃを混合した（２倍希釈、濃度５０％、液温２５℃）の混合封水液10を、−２２℃の室内に放置した場合について実験した結果である。なお、横軸は時間（分）を、縦軸は温度（℃）を示す。
【００２４】
図９及び図10から明らかなように、開始５０分を越えたあたりから、温度の低下が緩やかになっていることがわかる。その後、図９の実施例（実験例）では、凝固する（−１１．２℃）まで、１６０分かかった。図10の実施例（実験例）では、凝固する（−１８．３℃）まで、２６０分かかった。
このように、本剤の濃度が濃い方が、凝固点が低く、また、凝固するまでの時間を長くするような（凍結までの時間を遅らせるような）凍結抑制作用が得られることから、本発明が優れた凍結抑制作用効果を有することは明らかである。
なお、季節や排水トラップＴ，Ｔ´の形状や大きさによって、多少、凍結性に差を生ずる。
【００２５】
なお、本発明の蒸気圧低下剤５をトイレの便器内に投入使用しても良い。また、成分として、除菌剤を僅かに含有させておくも自由である。また、セントラルヒーティング用の冷媒（水）に使用するも良い。
【００２６】
以上述べたように、本発明の水の蒸気圧低下剤は、尿素と、界面活性剤と、精製グリセロールと、水又はアルカリ還元水と、を有するので、自然界へ与える影響も少なく安全で、寒冷地に於て、凍結せず、安心して使用できる。さらに、蒸発しにくく長期間にわたって渇水せず、例えば、１０ヶ月に１度の補給で十分である。さらに、トラップ等に投入すると、簡単かつ自然に、封水Ｗと混合する。また、セントラルヒーティングの冷媒（水）やその他の凍結防止用に本発明を広く利用でき、寒冷地での広い用途に適用できる。
【００２７】
また、尿素を５〜２０重量％、界面活性剤を０.１〜５重量％、精製グリセロールを１０〜８０重量％、残りを主として水又はアルカリ還元水としたので、自然界へ与える影響も少なく、十分に蒸気圧が低下し、寒冷地に於て、凍結せず、安心して使用できる。
さらに、蒸発しにくく長期間にわたって渇水せず、例えば、１０ヶ月に１度の補給で十分である。さらに、排水トラップＴ，Ｔ´等に投入すると、簡単かつ自然に、封水Ｗと混合する。しかも、引火の危険性もなく、排水トラップＴ，Ｔ´の下部へ沈澱することもなく、凝固物も生じにくい。特に、−３５℃程度にもなる寒冷地にも適用可能となる。
【００２８】
また、精製グリセロールは、エタノールと油脂と水と炭化物を有する廃グリセロールを蒸留精製したものであるので、現在、多量の処理に困っている廃グリセロールを有効に再利用できる利点がある。
【符号の説明】
【００２９】
２  排水管
５  蒸気圧低下剤
10  混合封水液
Ｗ  封水
Ｔ  Ｕ字型の排水トラップ
Ｔ´  釣鐘型の排水トラップ
【図１】
2013068067.tif 000004
【図２】
2013068067.tif 000005
【図３】
2013068067.tif 000006
【図４】
2013068067.tif 000007
【図５】
2013068067.tif 000008
【図６】
2013068067.tif 000009
【図７】
2013068067.tif 000010
【図８】
2013068067.tif 000011
【図９】
2013068067.tif 000012
【図１０】
2013068067.tif 000013